(57)【要約】【課題】有機汚泥の浄化剤を水中に投入し、投入した浄化剤を拡散させて水を浄化する有機汚泥の浄化剤拡散装置を提供する。【解決手段】水上に浮上して使用される有機汚泥の浄化剤拡散装置１０であって、水面部又は水面部近傍に配置される支持部材１２と、支持部材１２の回りに配置され、放射状に設けられた複数の羽根部材１３と、羽根部材１３を回転させる回転駆動手段１４と、支持部材１２又は羽根部材１３に設けられ、水中に有機汚泥の浄化剤を徐々に投入する浄化剤投入手段２３とを有し、水中に投入された浄化剤が、回転する羽根部材１３によって水中に拡散される。【選択図】        図１
2004351377.tif 000002
【特許請求の範囲】
【請求項１】
水上に浮上して使用される有機汚泥の浄化剤拡散装置であって、水面部又は水面部近傍に配置される支持部材と、
前記支持部材の回りに配置され、放射状に設けられた複数の羽根部材と、
前記羽根部材を回転させる回転駆動手段と、
前記支持部材又は前記羽根部材に設けられ、水中に有機汚泥の浄化剤を徐々に投入する浄化剤投入手段とを有し、
前記水中に投入された浄化剤が、回転する前記羽根部材によって水中に拡散されることを特徴とする有機汚泥の浄化剤拡散装置。
【請求項２】
請求項１記載の有機汚泥の浄化剤拡散装置において、前記支持部材は、該支持部材及びこれに取付けられている機器全体を浮かす浮力体を備えていることを特徴とする有機汚泥の浄化剤拡散装置。
【請求項３】
請求項２記載の有機汚泥の浄化剤拡散装置において、前記羽根部材は水に浮く材質で形成され、該羽根部材の浮力により前記浮力体を安定させることを特徴とする有機汚泥の浄化剤拡散装置。
【請求項４】
請求項１〜３のいずれか１項に記載の有機汚泥の浄化剤拡散装置において、前記浄化剤は、酵素及び好気性微生物のいずれか一方又は双方であることを特徴とする有機汚泥の浄化剤拡散装置。
【請求項５】
請求項１〜４のいずれか１項に記載の有機汚泥の浄化剤拡散装置において、前記浄化剤投入手段は、液状の前記浄化剤を徐々に点滴する点滴装置を有することを特徴とする有機汚泥の浄化剤拡散装置。
【請求項６】
請求項１〜４のいずれか１項に記載の有機汚泥の浄化剤拡散装置において、前記浄化剤投入手段は、所定量の前記浄化剤を時間毎に水中に放出するタイマー式の電磁弁を有することを特徴とする有機汚泥の浄化剤拡散装置。
【請求項７】
請求項１〜６のいずれか１項に記載の有機汚泥の浄化剤拡散装置において、前記支持部材には、水底に設置されるアンカーを有して所定位置に設置される固定手段が取付けられ、前記支持部材を所定の位置に設置することを特徴とする有機汚泥の浄化剤拡散装置。
【請求項８】
請求項１〜６のいずれか１項に記載の有機汚泥の浄化剤拡散装置において、前記支持部材は、連結部材を介して水底に設置されるアンカーを有する固定手段に回転可能に取付けられ、前記固定手段を中心にして前記支持部材及びこれに取付けられた前記羽根部材が回転可能となっていることを特徴とする有機汚泥の浄化剤拡散装置。
【請求項９】
請求項１〜８のいずれか１項に記載の有機汚泥の浄化剤拡散装置において、前記回転駆動手段は、太陽光によって発電する発電機及び風力によって発電する発電機のいずれか一方又は双方によって電気が供給されることを特徴とする有機汚泥の浄化剤拡散装置。
【請求項１０】
請求項９記載の有機汚泥の浄化剤拡散装置において、前記発電機には、該発電機によって発生した電気を蓄えるバッテリが接続され、該バッテリに蓄えられた電気によって、前記回転駆動手段を駆動可能であることを特徴とする有機汚泥の浄化剤拡散装置。
【発明の詳細な説明】
【０００１】
【発明の属する技術分野】
本発明は、有機汚泥の浄化剤を水中に投入し、投入した浄化剤を拡散させて、水質を向上させる有機汚泥の浄化剤拡散装置に関する。
【０００２】
【従来の技術】
従来、海や池等の水を浄化するためには、海や池等から汚れた水をポンプによってプールに汲み上げ、汲み上げられた汚水に酵素、好気性微生物等の浄化剤を混合し、浄化剤によって、水中の有機物や、有機汚泥を分解し、水を浄化して、綺麗にした後、再び水を海や池に戻していた。
また、例えば、特許文献１では、回転翼を有する水循環装置が開示され、水循環装置の回転翼によって、水底付近の水を水面まで導く流れを起こし、水面で太陽の紫外線と酸素を吸収して、水を活性化させている。
【０００３】
【特許文献１】
特許第３３６００７５号公報
【０００４】
【発明が解決しようとする課題】
しかしながら、水をポンプで汲み上げ、浄化剤と混合する方法では、作業が大変であり、大きな池、海では全ての水を浄化することは実質的に不可能であった。また、特許文献１の発明では、水の循環による浄化であるので、浄化の速度が遅いという問題があった。
本発明はかかる事情に鑑みてなされたもので、有機汚泥の浄化剤を水中に投入し、投入した浄化剤を拡散させて水を浄化する有機汚泥の浄化剤拡散装置を提供することを目的とする。
【０００５】
【課題を解決するための手段】
前記目的に沿う本発明に係る有機汚泥の浄化剤拡散装置は、水上に浮上して使用される有機汚泥の浄化剤拡散装置であって、
水面部又は水面部近傍に配置される支持部材と、
前記支持部材の回りに配置され、放射状に設けられた複数の羽根部材と、
前記羽根部材を回転させる回転駆動手段と、
前記支持部材又は前記羽根部材に設けられ、水中に有機汚泥の浄化剤を徐々に投入する浄化剤投入手段とを有し、
前記水中に投入された浄化剤が、回転する前記羽根部材によって水中に拡散される。
これによって、羽根部材の回転で起こる水流により、水底付近の水を水面付近まで上昇させて循環させ、浄化剤を水中に広く拡散させることができる。なお、支持部材を含めて浄化剤拡散装置を構成する部材は、水と接触した場合に、有害物質が水中に溶け出さない材質で形成する必要がある。回転駆動手段としては、電気により回転駆動するモータ等がある。
【０００６】
本発明に係る有機汚泥の浄化剤拡散装置において、前記支持部材は、該支持部材及びこれに取付けられている機器全体を浮かす浮力体を備えてもよい。これによって、支持部材及びこの支持部材に取付けられている機器全体、具体的には羽根部材、回転駆動手段、及び浄化剤投入手段等を浮力体の浮力により水上に浮上させることができる。ここで、浮力体としては、例えば、発泡スチロールが使われ、支持部材を構成するフレームに取付けられている。
本発明に係る有機汚泥の浄化剤拡散装置において、前記羽根部材は水に浮く材質で形成され、該羽根部材の浮力により前記浮力体を安定させることもできる。
これによって、水面の揺れや強風等によって、浮力体が傾くような場合でも、羽根部材が浮力体を支え、浄化剤拡散装置の浮いている部分が転覆するのを防ぐことができる。
【０００７】
本発明に係る有機汚泥の浄化剤拡散装置において、前記浄化剤は、酵素及び好気性微生物のいずれか一方又は双方であってもよい。これによって、酵素や好気性微生物が、水中の汚濁物質を分解することによって、水を浄化することができる。ここで、汚濁物質としては、水中の有機物や水底に堆積する有機汚泥がある。本発明に係る有機汚泥の浄化剤拡散装置において、前記浄化剤投入手段は、液状の前記浄化剤を徐々に点滴する点滴装置を有してもよい。これによって、常に浄化剤を水中に投入することができる。
本発明に係る有機汚泥の浄化剤拡散装置において、前記浄化剤投入手段は、所定量の前記浄化剤を時間毎に水中に放出するタイマー式の電磁弁を有してもよい。これによって、浄化剤の投入量を正確に把握することができ、浄化剤投入手段への浄化剤の補充時期が分かる。
【０００８】
本発明に係る有機汚泥の浄化剤拡散装置において、前記支持部材には、水底に設置されるアンカーを有して所定位置に設置される固定手段が取付けられ、前記支持部材を所定の位置に設置してもよい。これによって、支持部材及びこれに取付けられる機器全体を所定の位置に固定でき、その位置の水を浄化することができる。
本発明に係る有機汚泥の浄化剤拡散装置において、前記支持部材は、連結部材を介して水底に設置されるアンカーを有する固定手段に回転可能に取付けられ、前記固定手段を中心にして前記支持部材及びこれに取付けられた前記羽根部材が回転可能としてもよい。これによって、浄化剤投入手段が固定手段を中心に、実質的に連結部材の長さを半径として回転し、広い範囲の水を浄化させることができる。
【０００９】
本発明に係る有機汚泥の浄化剤拡散装置において、前記回転駆動手段は、太陽光によって発電する発電機及び風力によって発電する発電機のいずれか一方又は双方によって電気を供給してもよい。これによって、浄化剤拡散装置に設けられる電源によって、回転駆動手段が駆動されるので、海や池等の岸から電気を供給する配線を水中に設けなくてもよく、断線等により、電気の供給ができず、浄化剤拡散装置が動かなくなることがなくなる。
本発明に係る有機汚泥の浄化剤拡散装置において、前記発電機には、該発電機によって発生した電気を蓄えるバッテリが接続され、該バッテリに蓄えられた電気によって、前記回転駆動手段を駆動することができる。これによって、夜間や、曇り、無風の時等の発電ができない際でも、回転駆動手段を駆動することができる。また、発電機が故障しても、バッテリに蓄えられた電気によって、回転駆動手段を駆動することができる。
【００１０】
【発明の実施の形態】
続いて、添付した図面を参照しつつ、本発明を具体化した実施の形態につき説明し、本発明の理解に供する。
ここで、図１は本発明の第１の実施の形態に係る有機汚泥の浄化剤拡散装置の説明図、図２は同浄化剤拡散装置の要部断面図、図３は同浄化剤拡散装置の部分平面図、図４は本発明の第２の実施の形態に係る有機汚泥の浄化剤拡散装置の説明図、図５は同浄化剤拡散装置の部分平面図である。
【００１１】
図１〜図３を参照して、本発明の第１の実施の形態に係る有機汚泥の浄化剤拡散装置（以下、単に「浄化剤拡散装置」という）１０について説明する。
図１〜図３に示すように、浄化剤拡散装置１０は、水面に浮く、例えば、円筒形の発泡スチロールで形成された浮力体１１を有する支持部材１２と、支持部材１２を中心にして放射状に広げて設けられた複数、例えば、３つの羽根部材（長さは、例えば０．５〜５ｍ）１３と、羽根部材１３を回転させる回転駆動手段の一例であるモータ１４（回転数は、例えば０．５〜１０ｒｐｍ）とを有している。なお、この浮力体１１は、図面上においては小さく記載されているが、十分な浮力を有し、例えば、後述する酵素タンク２４内の酵素溶液の排出量によって、大きく浮き上がる等の弊害が生じないようになっている。
【００１２】
羽根部材１３は、例えば、強化プラスチック等からなって基部が棒状に形成され、支持部材１２の側面上部に固定されている。また、羽根部材１３の先部は、板状の水掻き部１７が形成され、羽根部材１３が回転する際には、水掻き部１７が水を掻くようになっている。なお、３つの羽根部材１３の基部は、円筒形の支持部材１２の中心軸を中心として、等角度、つまり、１２０度の角度となるように取付けられている。また、羽根部材１３の水掻き部１７は、発泡スチロールで形成され、全体の浮力の向上に役立っている。これによって、支持部材１２の安定を図り、風による機器全体の転覆を防止している。
【００１３】
図２に示すように、モータ１４は、その回転軸１５が下向きとして、支持部材１２の底部に設けられたベース１６上に配置されている。なお、モータ１４の回転軸１５は、円筒形の支持部材１２の中心軸と実質的に一致する位置に配置されている。また、回転軸１５の先端は、その軸心と一致する固定軸１８に取付けられている。ここで、固定軸１８は、支持部材１２の底部から水中に突出している。固定軸１８は、支持部材１２の底部内側に設けられたケーシング１９に取付けられたブッシュで形成された軸受２０、及び支持部材１２の底部外側に設けられたケーシング２１に取付けられた鍔付のブッシュで形成された軸受２２によって支持されている。更に、固定軸１８の先端は、フランジに形成され、他の部材とボルト等によって接続が可能となっている。
【００１４】
更に、浄化剤拡散装置１０は、水中に有機汚泥の浄化剤、例えば、水中の有機物や水底に堆積する有機汚泥を分解する酵素溶液を、徐々に投入する浄化剤投入手段２３を有している。浄化剤投入手段２３は、酵素溶液を貯留する酵素タンク２４と、所定量の酵素溶液を時間毎に水中に放出するタイマー式の電磁弁２６と、酵素溶液を水中に投入する酵素投入管２７から構成されている。
【００１５】
ここで、酵素タンク２４は、支持部材１２の上部に設けられ、酵素タンク２４の下側側部には、酵素タンク２４内に貯留している酵素溶液を水中に放出する放出口２５が設けられている。放出口２５の基部側、つまり、酵素タンク２４内側には、電磁弁２６が設置されている。また、放出口２５には酵素溶液を水中に投入する酵素投入管２７が取付けられている。酵素投入管２７は支持部材１２の側部に沿って下方に伸延し、その先部から酵素を水中に投入できるようになっている。なお、酵素投入管２７の下端を羽根部材１３より上に配置し、水面上から酵素溶液を垂らすこともできる。
また、酵素タンク２４の側面上部には、酵素タンク２４内に酵素溶液を注入する酵素注入口２８が設けられている。なお、酵素タンク２４内側には、単位時間当たり所定量の酵素溶液を送る定容量ポンプを取付けることもできるが、この実施の形態では重力によって酵素タンク２４から水中に電磁弁２６を介して放出している。
【００１６】
また、浄化剤投入装置１０は、太陽光によって発電する発電機の一例である太陽電池２９を備え、太陽電池２９は、酵素タンク２４の上面に取付けられている。太陽電池２９により発生する電気によって、モータ１４、タイマー式の電磁弁２６が駆動する。なお、太陽電池２９、モータ１４及び電磁弁２６には、図示しない配線が施されている。また、太陽電池２９によって発生した電気を蓄えるバッテリ３０が、支持部材１２内に取付けられ、太陽電池２９とは図示しない配線で接続されている。更に、支持部材１２内には、モータ１４の回転数を制御する制御装置３１が取付けられている。なお、この実施の形態では電源として太陽電池２９を使用しているが、支持部材１２から電源ケーブルを水中に垂らして、商用電源から供給することもでき、これによって、装置全体を気候に関係なく安定させて動作させることができる。更に、バッテリ３０によって、曇りや雨の日、又は夜等、太陽電池２９において発電できないときでも電気の供給が可能となっている。
【００１７】
なお、浮力体１１は、支持部材１２上部から、支持部材１２内に配置するために、モータ１４、バッテリ３０、制御装置３１等の外形と実質的に同じ形状にくり抜かれている。また、浮力体１１を支持部材１２の外側側面に取付けて浮力を増してもよい。
また、支持部材１２、羽根部材１３、浄化剤投入手段２３、及び太陽電池２９によって、拡散装置本体３２（支持部材１２とこれに取付けられた機器全体）が構成されている。
【００１８】
また、支持部材１２には、間隔を空けて水底に設置される例えば、２つのアンカー３３、３４と、アンカー３３、３４にそれぞれ取付けられる固定ロープ３５、３６と、固定ロープ３５、３６の両端に取付けられ、支持部材１２の底部から突出する固定軸１８の先部が取付けられる棒状部材３７とを有する固定手段３８が設けられている。固定手段３８によって、拡散装置本体３２を、水面の所定位置に固定することができる。
ここで、モータ１４が駆動すると、回転軸１５が回転するが、固定軸１８は固定手段３８によって固定され回転できないので、回転軸１５を中心としてモータ１４を固定した支持部材１２が回転し、支持部材１２に取付けられた羽根部材１３も回転するようになっている。
なお、拡散装置本体３２は、内部に水が入り込まないように防水している。
【００１９】
次に、有機汚泥の浄化剤拡散装置１０を使用した有機汚泥の浄化方法について説明する。
まず、拡散装置本体３２を水底に有機汚泥が溜まっている池等の水面部（又は水面部近傍）に配置する。予め配置する池等の水深により、浄化剤拡散装置１０の固定手段３８の固定ロープ３５、３６の長さを調節しておく。水底にアンカー３３、３４を間隔を空けて設置する。なお、固定軸１８と棒状部材３７の間に、長さ調節用の連結棒を取付けてもよい。
【００２０】
図３に示すように、太陽光によって、太陽電池２９が発電し、その電気によって羽根部材１３が、例えば、平面視して反時計回りに回転する。この回転によって、支持部材１２付近の水面の水は、遠心力によって、支持部材１２から水平方向外側に流れていく。更に、支持部材１２の下方の水は、支持部材１２方向に上昇し、これらの流れによって、浄化剤拡散装置１０付近の水は、図１中の矢印のように循環する流れとなる。この循環する流れによって、水底付近の水は、水面へと導かれ、太陽光（つまり、紫外線）による殺菌や、空気中の酸素の取り込みにより水が浄化される。
更に、太陽電池２９による電気によって、タイマー式の電磁弁２６が駆動し、時間計量された量の酵素タンク２４内の酵素溶液を水中に投入する。なお、定容量ポンプを使用する場合には、ポンプの吐出量（例えば、ポンプの回転数）を予め決めておく。水中に投入された酵素溶液は、前記した循環する水の流れによって、水中に拡散される。酵素溶液によって、水底に堆積する有機汚泥を分解することができる。酵素タンク２４は、図面上には強調して大きく記載されているが、浮力体１１の容積の１／２以下（更に好ましくは１／４以下）として、仮に、内部の酵素溶液がなくなっても、浮力体１１や羽根部材１３が浮き上がらないようにするのがよい（以下の実施の形態においても同じ）。
【００２１】
なお、本実施の形態では、浄化剤拡散装置１０の酵素タンク２４の容量は３０Ｌのものを使用している。ここで、３０Ｌの酵素溶液を３ヶ月間使用する場合、１ヶ月当たりでは１０Ｌ、１日当たりではおよそ３３３ｍＬ、１時間当たりではおよそ１４ｍＬの酵素溶液を水中に投入する必要がある。浄化剤拡散装置１０では、１時間毎に１４ｍＬの酵素溶液をタイマーによる電磁弁２６の開時間（又は定容量ポンプの吐出量）で計量し、水中に投入するようにタイマー式の電磁弁２６が作動している。なお、本発明はこの実施の形態に限定されず、投入する酵素溶液の量を、例えば、１日当たり１０ｍＬ〜２Ｌの範囲で変えることもできる。また、少量注入で制御が困難な場合には、１０〜２０００倍程度に希釈した酵素溶液を水中に所定量ずつ供給することもできる。また、酵素タンク２４内の酵素溶液が少なくなったときには、酵素注入口２８から酵素溶液を酵素タンク２４に注入して、酵素溶液を補充する。なお、酵素注入口２８には図示しない密閉蓋が設けられている。この場合、内部に圧縮ガスを注入することもできる。
【００２２】
また、雨や曇りの日、また、夜等の太陽が出ていないときには、太陽電池２９によって発電した電気が蓄えられたバッテリ３０から電気を供給して、モータ１４、電磁弁２６を駆動させることができる。また、太陽電池２９が故障しても、バッテリ３０に蓄えられた電気によって、モータ１４、電磁弁２６を駆動させ、水を浄化することができる。
【００２３】
図４及び図５を参照して、本発明の第２の実施の形態に係る有機汚泥の浄化剤拡散装置３９について説明する。なお、有機汚泥の浄化剤拡散装置１０と同一の構成要素については同一の番号を付してその詳しい説明を省略する。
浄化剤拡散装置３９は、浄化剤拡散装置１０と同様に、支持部材１２、羽根部材１３、モータ１４、浄化剤投入手段２３、電磁弁２６、太陽電池２９、及びバッテリ３０を有する拡散装置本体３２を有している。
【００２４】
また、浄化剤拡散装置３９は、拡散装置本体３２とは間隔を空けて設置される固定手段４０を有している。固定手段４０は、水底に間隔を空けて設置されるアンカー３３、３４、固定ロープ３５、３６、棒状部材３７、棒状部材３７の中間部から水面に浮かぶ支点部材４１に取付けられる支柱４２を有し、固定手段４０に連結部材４３を介して支持部材１２が連結され、これによって、拡散装置本体３２は固定手段４０を中心に、連結部材４３を半径として回転可能となっている。浄化剤拡散装置３９はこの点が浄化剤拡散装置１０と異なっている。
なお、連結部材４３の先部はフランジとなっており、支持部材１２の底部から突出する固定軸１８の先部に設けられたフランジと図示しないボルトによって連結されている。
【００２５】
次に、有機汚泥の浄化剤拡散装置３９を使用した有機汚泥の浄化方法について説明する。
まず、拡散装置本体３２を水底に有機汚泥が溜まっている池等の水面に配置するために、予め配置する池等の水深により、浄化剤拡散装置３９の固定手段４０の固定ロープ３５、３６及び支柱４２の長さを調節しておく。水底にアンカー３３、３４を間隔を空けて設置する。また、連結部材４３の長さも池等の広さによって決めることができる。ここで、固定手段４０を、連結部材４３を介して、拡散装置本体３２の支持部材１２の底部に取付けて、浄化剤拡散装置３９を設置する。なお、固定軸１８と連結部材４３の間に、長さ調節用の連結棒を取付けてもよい。
図５に示すように、太陽電池２９が発電し、その電気によって羽根部材１３が、例えば、平面視して反時計回りに回転する。この回転によって、水は循環する流れとなり、水が浄化される。更に、拡散装置本体３２は、羽根部材１３の回転により、固定手段４０を中心に、連結部材４３を半径として回転する。これによって、浄化剤拡散装置３９では、広範囲の水を浄化することが可能である。
【００２６】
本発明は、前記した実施の形態に限定されるものではなく、本発明の要旨を変更しない範囲での変更は可能であり、例えば、前記したそれぞれの実施の形態や変形例の一部又は全部を組み合わせて本発明の有機汚泥の浄化剤拡散装置を構成する場合も本発明の権利範囲に含まれる。
例えば、前記実施の形態の浄化剤拡散装置において、浄化剤投入手段を支持部材に設けたが、羽根部材に設けてもよい。また、浮力体として、発泡スチロールを用いたが、水に浮く材質で形成すればよい。しかしながら、浮力体は、水に接触したときに、有害物質が溶出しないものでなければならない。更に、浄化剤として、酵素溶液を用いたが、液体に限らず、固体状（粉状）の酵素を水中に投入してもよく、また、好気性微生物を水中に投入してもよい。
【００２７】
また、羽根部材の枚数も、３枚に限定されない。また、浄化剤投入手段として、タイマー式の電磁弁を用いたが、点滴装置によって、浄化剤を徐々に水中に投入してもよい。また、電磁弁とポンプを併用することもできる。アンカーは、固定ロープを介して直接支持部材に取付けてもよい。発電機として、太陽電池を用いたが、風力発電を行う風車を用いてもよく、太陽光による発電機及び風力による発電機の両方を設けてもよい。また、電気は、浄化剤拡散装置の外部、例えば、池等の岸に設置された配電盤より電線を水中に配置して供給してもよい。
更に、前記実施の形態においては、酵素溶液を入れる酵素タンクは一定形状を有するタンクによって形成したが、例えば、柔軟性のある容器に入れて、水面下に配置することもできる。この場合、別に設けたポンプによって汲み出してもよい。また、更には、酵素タンクにゴム等の弾性力を有する容器を用い、ゴム等の弾性、即ち、容器自体が収縮しようとする力によって酵素溶液を排出するようにしてもよい。このゴム等の弾性力を有する容器又は剛体（例えば、プラスチック、又は金属）製の容器に、酵素溶液と圧縮ガス（例えば、窒素又は空気）を入れて、圧縮ガスの力によって、（１）その流れを電磁弁で開閉し、（２）連続開となったオリフィスを通じて徐々に、又は（３）点滴装置を介して徐々に、排出するようにしてもよい。これによって、ポンプを設ける必要がない。
また、圧縮ガスと酵素を入れた容器を水上に浮かべるのが好ましく、この場合には、羽根部材等の浮力に関係しないので、酵素溶液の減少によって羽根部材が浮く等の弊害がない。
【００２８】
【発明の効果】
請求項１〜１０記載の有機汚泥の浄化剤拡散装置においては、水上に浮上して使用される有機汚泥の浄化剤拡散装置であって、水面部又は水面部近傍に配置される支持部材と、支持部材の回りに配置され、放射状に設けられた複数の羽根部材と、羽根部材を回転させる回転駆動手段と、支持部材又は羽根部材に設けられ、水中に有機汚泥の浄化剤を徐々に投入する浄化剤投入手段とを有し、水中に投入された浄化剤が、回転する羽根部材によって水中に拡散されるので、羽根部材の回転で起こる水流により、水底付近の水を水面付近まで上昇させて循環させ、浄化剤を水中に広く拡散させることができる。
【００２９】
請求項２記載の有機汚泥の浄化剤拡散装置においては、支持部材は、支持部材及びこれに取付けられている機器全体を浮かす浮力体を備えているので、支持部材及びこの支持部材に取付けられている機器全体、具体的には羽根部材、回転駆動手段、及び浄化剤投入手段等を浮力体の浮力により水上に浮上させることができる。
請求項３記載の有機汚泥の浄化剤拡散装置においては、羽根部材は水に浮く材質で形成され、羽根部材の浮力により浮力体を安定させるので、水面の揺れや強風等によって、浮力体が傾くような場合でも、羽根部材が浮力体を支え、浄化剤拡散装置の浮いている部分が転覆するのを防ぐことができる。
【００３０】
特に、請求項４記載の有機汚泥の浄化剤拡散装置においては、浄化剤は、酵素及び好気性微生物のいずれか一方又は双方であるので、水中の汚濁物質を分解し、水を浄化することができる。
請求項５記載の有機汚泥の浄化剤拡散装置においては、浄化剤投入手段は、液状の浄化剤を徐々に点滴する点滴装置を有するので、常に浄化剤を水中に投入することができる。
請求項６記載の有機汚泥の浄化剤拡散装置においては、浄化剤投入手段は、所定量の浄化剤を時間毎に水中に放出するタイマー式の電磁弁を有するので、浄化剤の投入量を正確に把握することができ、浄化剤投入手段への浄化剤の補充時期が分かる。
【００３１】
特に、請求項７記載の有機汚泥の浄化剤拡散装置においては、支持部材には、水底に設置されるアンカーを有して所定位置に設置される固定手段が取付けられ、支持部材を所定の位置に設置するので、支持部材及びこれに取付けられる機器全体を所定の位置に固定でき、その位置の水を浄化することができる。
請求項８記載の有機汚泥の浄化剤拡散装置においては、支持部材は、連結部材を介して水底に設置されるアンカーを有する固定手段に回転可能に取付けられ、固定手段を中心にして支持部材及びこれに取付けられた羽根部材が回転可能となっているので、浄化剤投入手段が固定手段を中心に、実質的に連結部材の長さを半径として回転し、広い範囲の水を浄化させることができる。
【００３２】
特に、請求項９記載の有機汚泥の浄化剤拡散装置においては、回転駆動手段は、太陽光によって発電する発電機及び風力によって発電する発電機のいずれか一方又は双方によって電気が供給されるので、海や池等の岸から電気を供給する配線を水中に設けなくてもよく、断線等により、電気の供給ができず、浄化剤拡散装置が動かなくなることがなくなる。
請求項１０記載の有機汚泥の浄化剤拡散装置においては、発電機には、発電機によって発生した電気を蓄えるバッテリが接続され、バッテリに蓄えられた電気によって、回転駆動手段を駆動可能であるので、夜間や、曇り、無風の時等の発電ができない際でも、回転駆動手段を駆動することができる。また、発電機が故障しても、バッテリに蓄えられた電気によって、回転駆動手段を駆動することができる。
【図面の簡単な説明】
【図１】本発明の第１の実施の形態に係る有機汚泥の浄化剤拡散装置の説明図である。
【図２】同浄化剤拡散装置の要部断面図である。
【図３】同浄化剤拡散装置の部分平面図である。
【図４】本発明の第２の実施の形態に係る有機汚泥の浄化剤拡散装置の説明図である。
【図５】同浄化剤拡散装置の部分平面図である。
【符号の説明】
１０：有機汚泥の浄化剤拡散装置、１１：浮力体、１２：支持部材、１３：羽根部材、１４：モータ、１５：回転軸、１６：ベース、１７：水掻き部、１８：固定軸、１９：ケーシング、２０：軸受、２１：ケーシング、２２：軸受、２３：浄化剤投入手段、２４：酵素タンク、２５：放出口、２６：タイマー式の電磁弁、２７：酵素投入管、２８：酵素注入口、２９：太陽電池、３０：バッテリ、３１：制御装置、３２：拡散装置本体、３３、３４：アンカー、３５、３６：固定ロープ、３７：棒状部材、３８：固定手段、３９：有機汚泥の浄化剤拡散装置、４０：固定手段、４１：支点部材、４２：支柱、４３：連結部材
【図１】
2004351377.tif 000003
【図２】
2004351377.tif 000004
【図３】
2004351377.tif 000005
【図４】
2004351377.tif 000006
【図５】
2004351377.tif 000007